(57)【要約】【課題】印刷ジョブの出力権限を容易に委譲することを課題とする。【解決手段】権限委譲システムは、端末装置と情報処理装置とを有する。端末装置は、端末装置を所有するユーザとは異なる他のユーザが所有する認証デバイスを探索し、探索により検出された認証デバイスから、該認証デバイスを識別するためのデバイス識別子を取得し、ユーザが有する出力権限を、他のユーザに委譲することを表す委譲情報を生成し、取得したデバイス識別子と、ユーザが出力権限を有する印刷ジョブを識別するためのジョブ識別子と、生成された委譲情報とを、情報処理装置に対して送信する。情報処理装置は、端末装置によって送信された、デバイス識別子と、ジョブ識別子と、委譲情報とを受信し、受信されたジョブ識別子とデバイス識別子とを対応付けて記憶部に格納する。【選択図】図２
2015176506.tif 000002
【特許請求の範囲】
【請求項１】
端末装置と情報処理装置とを有する権限委譲システムであって、
前記端末装置は、
前記端末装置を所有するユーザとは異なる他のユーザが所有する認証デバイスを探索する探索部と、
探索により検出された前記認証デバイスから、該認証デバイスを識別するためのデバイス識別子を取得する取得部と、
前記ユーザが有する出力権限を、前記他のユーザに委譲することを表す委譲情報を生成する生成部と、
取得された前記デバイス識別子と、前記ユーザが出力権限を有する印刷ジョブを識別するためのジョブ識別子と、生成された前記委譲情報とを、前記情報処理装置に対して送信する送信部と、を有し、
前記情報処理装置は、
印刷ジョブを識別するためのジョブ識別子と、出力権限を委譲されたユーザが所有する認証デバイスの前記デバイス識別子とを対応付けて記憶する権限委譲記憶部と、
前記端末装置によって送信された、前記デバイス識別子と、前記ジョブ識別子と、前記委譲情報とを受信する受信部と、
前記委譲情報が受信された場合に、受信された前記ジョブ識別子と前記デバイス識別子とを前記権限委譲記憶部に格納する権限委譲処理部と
を有することを特徴とする権限委譲システム。
【請求項２】
前記端末装置は、
前記ユーザが出力可能な印刷ジョブ情報を表示する表示部と、
表示された前記印刷ジョブ情報からの選択と、前記ユーザが有する前記出力権限の委譲要求とを受け付ける受付部と、をさらに有し、
前記探索部は、前記委譲要求が受け付けられた場合に、前記他のユーザが所有する前記認証デバイスを探索し、
前記送信部は、選択された前記印刷ジョブ情報を識別するための前記ジョブ識別子を、前記情報処理装置に対して送信する
ことを特徴とする請求項１に記載の権限委譲システム。
【請求項３】
前記情報処理装置は、
印刷ジョブを識別するためのジョブ識別子を含む印刷ジョブ情報を記憶する印刷ジョブ記憶部と、
前記印刷ジョブ記憶部と、前記権限委譲記憶部とを用いて、前記他のユーザが所有する前記認証デバイスの前記デバイス識別子に対応する前記ジョブ識別子を検索し、検索された前記ジョブ識別子に対応する前記印刷ジョブ情報を前記印刷ジョブ記憶部から取得する取得部と、
取得された前記印刷ジョブ情報を表示する表示部と、をさらに有する
ことを特徴とする請求項１又は２に記載の権限委譲システム。
【請求項４】
前記端末装置において、
前記受付部は、前記出力権限の委譲後に、前記ユーザが出力可能な前記印刷ジョブ情報として前記表示部に表示させるか否かを設定するための表示設定を受け付け、
前記送信部は、受け付けられた表示設定を前記情報処理装置に対して送信し、
前記情報処理装置において、
前記受信部は、前記端末装置によって送信された前記表示設定を受信し、
前記情報処理装置は、
印刷ジョブを識別するためのジョブ識別子を含む印刷ジョブ情報を記憶する印刷ジョブ記憶部と、
受信された前記ジョブ識別子をもとに、受信された前記表示設定を前記印刷ジョブ記憶部に格納するジョブ管理処理部と、をさらに有し、
前記ジョブ管理処理部は、前記出力権限を委譲された前記他のユーザが、表示させない設定がなされた前記表示設定に対応する前記印刷ジョブを出力した場合に、該印刷ジョブ情報を前記印刷ジョブ記憶部から削除する
ことを特徴とする請求項２に記載の権限委譲システム。
【請求項５】
前記端末装置において、
前記受付部は、前記出力権限の委譲後に、委譲された前記他のユーザが出力可能な回数を表す回数設定を受け付け、
前記送信部は、受け付けられた前記回数設定を前記情報処理装置に対して送信し、
前記情報処理装置において、
前記受信部は、前記端末装置によって送信された前記回数設定を受信し、
前記権限委譲処理部は、受信された前記回数設定を前記権限委譲記憶部に格納し、前記回数設定が１以上である前記印刷ジョブを、前記出力権限を委譲された前記他のユーザが出力した場合に、前記回数設定を出力回数に応じてデクリメントする
ことを特徴とする請求項２に記載の権限委譲システム。
【請求項６】
前記端末装置において、
前記受付部は、前記他のユーザそれぞれに対して出力可能な回数を表す前記回数設定を受け付け、
前記情報処理装置において、
前記権限委譲処理部は、前記他のユーザそれぞれに対応する前記回数設定を前記権限委譲記憶部に格納し、前記回数設定が１以上である前記印刷ジョブを、前記出力権限を委譲された前記他のユーザそれぞれが出力した場合に、前記他のユーザそれぞれに対応する前記回数設定を出力回数に応じてデクリメントする
ことを特徴とする請求項５に記載の権限委譲システム。
【請求項７】
前記端末装置において、
前記受付部は、前記他のユーザ全てを合わせて出力可能な回数を表す前記回数設定を受け付け、
前記情報処理装置において、
前記権限委譲処理部は、前記他のユーザ全てに対応する前記回数設定を前記権限委譲記憶部に格納し、前記回数設定が１以上である前記印刷ジョブを、前記出力権限を委譲された前記他のユーザの何れかが出力した場合に、前記他のユーザ全てに対応する前記回数設定を出力回数に応じてデクリメントする
ことを特徴とする請求項５又は６に記載の権限委譲システム。
【請求項８】
前記情報処理装置は、
出力権限を委譲された印刷ジョブの印刷ジョブ情報に含まれる印刷設定及び印刷状況の少なくとも一つを引き継ぎ、印刷を行なう画像処理部をさらに有する
ことを特徴とする請求項１〜７の何れか一つに記載の権限委譲システム。
【請求項９】
端末装置と情報処理装置とを有する権限委譲システムにおける権限委譲方法であって、
前記端末装置が、
前記端末装置を所有するユーザとは異なる他のユーザが所有する認証デバイスを探索するステップと、
探索により検出された前記認証デバイスから、該認証デバイスを識別するためのデバイス識別子を取得するステップと、
前記ユーザが有する出力権限を、前記他のユーザに委譲することを表す委譲情報を生成するステップと、
取得された前記デバイス識別子と、前記ユーザが出力権限を有する印刷ジョブを識別するためのジョブ識別子と、生成された前記委譲情報とを、前記情報処理装置に対して送信するステップと、を含み、
前記情報処理装置が、
前記端末装置によって送信された、前記デバイス識別子と、前記ジョブ識別子と、前記委譲情報とを受信するステップと、
前記委譲情報が受信された場合に、受信された前記ジョブ識別子と前記デバイス識別子とを、前記ジョブ識別子と前記認証デバイスのデバイス識別子とを対応付けて記憶する権限委譲記憶部に格納するステップと
を含むことを特徴とする権限委譲方法。
【請求項１０】
端末装置に、
前記端末装置を所有するユーザとは異なる他のユーザが所有する認証デバイスを探索するステップと、
探索により検出された前記認証デバイスから、該認証デバイスを識別するためのデバイス識別子を取得するステップと、
前記ユーザが有する出力権限を、前記他のユーザに委譲することを表す委譲情報を生成するステップと、
取得された前記デバイス識別子と、前記ユーザが出力権限を有する印刷ジョブを識別するためのジョブ識別子と、生成された前記委譲情報とを送信するステップと
を実行させるための権限委譲プログラム。
【発明の詳細な説明】
【技術分野】
【０００１】
本発明は、権限委譲システム、権限委譲方法及び権限委譲プログラムに関する。
【背景技術】
【０００２】
従来、ＬＰ（Laser  Printer）やＭＦＰ（Multi  Function  Printer）等の機器、サーバ等に蓄積した印刷ジョブを、機器側で行なうユーザ認証後に出力する保留印刷機能（オンデマンド印刷機能）が知られている。かかる保留印刷機能によれば、出力物が放置されることを抑制することができる。また、最近では、このような保留印刷機能に関して、印刷ジョブを蓄積する操作を行なったユーザとは異なる他のユーザに、印刷ジョブの出力権限を委譲する技術がある。例えば、特許文献１では、クライアントＰＣにＩＣカードリーダを接続し、印刷ジョブを蓄積する操作を行なったユーザや他のユーザが所有する携帯端末の識別情報をやり取りし、他のユーザが所有する携帯端末に対して、出力権限に係る情報をメール送信している。
【発明の概要】
【発明が解決しようとする課題】
【０００３】
しかしながら、上述した従来技術は、印刷ジョブの出力権限を容易に委譲することが困難であるという問題がある。具体的には、従来技術は、ＩＣカードリーダを設置するためのコストがかかるとともに、メール送信する際の操作が煩雑であるため、印刷ジョブの出力権限を容易に委譲することが困難である。
【０００４】
本発明は、上記に鑑みてなされたものであって、印刷ジョブの出力権限を容易に委譲することを目的とする。
【課題を解決するための手段】
【０００５】
上述した課題を解決し、目的を達成するため、本発明に係る権限委譲システムは、端末装置と情報処理装置とを有する権限委譲システムであって、前記端末装置は、前記端末装置を所有するユーザとは異なる他のユーザが所有する認証デバイスを探索する探索部と、探索により検出された前記認証デバイスから、該認証デバイスを識別するためのデバイス識別子を取得する取得部と、前記ユーザが有する出力権限を、前記他のユーザに委譲することを表す委譲情報を生成する生成部と、取得された前記デバイス識別子と、前記ユーザが出力権限を有する印刷ジョブを識別するためのジョブ識別子と、生成された前記委譲情報とを、前記情報処理装置に対して送信する送信部と、を有し、前記情報処理装置は、印刷ジョブを識別するためのジョブ識別子と、出力権限を委譲されたユーザが所有する認証デバイスの前記デバイス識別子とを対応付けて記憶する権限委譲記憶部と、前記端末装置によって送信された、前記デバイス識別子と、前記ジョブ識別子と、前記委譲情報とを受信する受信部と、前記委譲情報が受信された場合に、受信された前記ジョブ識別子と前記デバイス識別子とを前記権限委譲記憶部に格納する権限委譲処理部とを有する。
【発明の効果】
【０００６】
本発明の一つの様態によれば、印刷ジョブの出力権限を容易に委譲することができるという効果を奏する。
【図面の簡単な説明】
【０００７】
【図１】図１は、実施の形態１に係る権限委譲システムのシステム構成例を示す図である。
【図２】図２は、実施の形態１に係る各装置の機能構成例を示すブロック図である。
【図３】図３は、実施の形態１に係る印刷ジョブ情報記憶部に記憶された情報例を示す図である。
【図４】図４は、実施の形態１に係る権限委譲記憶部に記憶された情報例を示す図である。
【図５】図５は、実施の形態１に係る印刷ジョブ蓄積処理の流れの例を示すシーケンス図である。
【図６】図６は、実施の形態１に係る出力権限委譲処理の流れの例を示すシーケンス図である。
【図７】図７は、実施の形態１に係る画像処理の流れの例を示すシーケンス図である。
【図８】図８は、実施の形態２に係る各装置の機能構成例を示すブロック図である。
【図９】図９は、実施の形態２に係る印刷ジョブ情報記憶部に記憶された情報例を示す図である。
【図１０】図１０は、実施の形態２に係る出力権限委譲処理の流れの例を示すシーケンス図である。
【図１１】図１１は、実施の形態３に係る各装置の機能構成例を示すブロック図である。
【図１２】図１２は、実施の形態３に係る印刷ジョブ情報記憶部に記憶された情報例を示す図である。
【図１３】図１３は、実施の形態３に係る権限委譲記憶部に記憶された情報例を示す図である。
【図１４Ａ】図１４Ａは、出力権限の委譲先である複数ユーザそれぞれに対して回数設定が行なわれた場合における、印刷ジョブ情報記憶部及び権限委譲記憶部の更新例を説明する図である。
【図１４Ｂ】図１４Ｂは、出力権限の委譲先である複数ユーザそれぞれに対して回数設定が行なわれた場合における、印刷ジョブ情報記憶部及び権限委譲記憶部の更新例を説明する図である。
【図１４Ｃ】図１４Ｃは、出力権限の委譲先である複数ユーザそれぞれに対して回数設定が行なわれた場合における、印刷ジョブ情報記憶部及び権限委譲記憶部の更新例を説明する図である。
【図１５Ａ】図１５Ａは、出力権限の委譲先である複数ユーザ全てを合わせて回数設定が行なわれた場合における、印刷ジョブ情報記憶部及び権限委譲記憶部の更新例を説明する図である。
【図１５Ｂ】図１５Ｂは、出力権限の委譲先である複数ユーザ全てを合わせて回数設定が行なわれた場合における、印刷ジョブ情報記憶部及び権限委譲記憶部の更新例を説明する図である。
【図１６】図１６は、実施の形態３に係る出力権限委譲処理の流れの例を示すシーケンス図である。
【図１７】図１７は、印刷中断後に出力権限を委譲した場合における画像処理の流れの例を示すシーケンス図である。
【図１８】図１８は、携帯端末のハードウェア構成例を示す図である。
【図１９】図１９は、ＭＦＰとしての画像処理装置のハードウェア構成例を示す図である。
【発明を実施するための形態】
【０００８】
以下に添付図面を参照して、本発明に係る権限委譲システム、権限委譲方法及び権限委譲プログラムの実施の形態を説明する。なお、以下の実施の形態により本発明が限定されるものではない。また、各実施の形態は、内容を矛盾させない範囲で適宜組み合わせることができる。
【０００９】
（実施の形態１）
［システム構成］
図１を用いて、実施の形態１に係る権限委譲システムのシステム構成を説明する。図１は、実施の形態１に係る権限委譲システムのシステム構成例を示す図である。
【００１０】
図１に示すように、権限委譲システム１は、クライアント装置１０と、認証サーバ２０と、携帯端末３０と、認証デバイス４０と、印刷サーバ５０と、画像処理装置６０とを有する。これらのうち、クライアント装置１０、認証サーバ２０、印刷サーバ５０及び画像処理装置６０は、ＬＡＮ（Local  Area  Network）やインターネット等のネットワークに接続される。かかるネットワークは、無線又は有線により実現される。携帯端末３０は、無線通信により上記ネットワークに接続される。また、携帯端末３０と認証デバイス４０とは、ＮＦＣ（Near  Field  Communication）等の近距離無線通信により互いに通信可能である。同様に、認証デバイス４０と画像処理装置６０とは、ＮＦＣ等の近距離無線通信により互いに通信可能である。権限委譲システム１に含まれる各装置は複数配置されていても良い。なお、権限委譲システム１では、保留印刷機能により印刷が行なわれることを想定している。
【００１１】
上述した構成において、クライアント装置１０は、ユーザ操作に応じて印刷ジョブを生成し、生成した印刷ジョブを印刷サーバ５０に送信する。かかるクライアント装置１０は、ＰＣ等の情報処理装置である。これにより、印刷サーバ５０には、画像処理装置６０で出力するための印刷ジョブが蓄積される。認証サーバ２０は、権限委譲システム１を利用するユーザの認証処理を行なう。権限委譲システム１を利用するユーザとは、携帯端末３０や認証デバイス４０を所有するユーザを指す。すなわち、認証サーバ２０は、ユーザＩＤと、パスワードと、携帯端末３０や認証デバイス４０を識別するためのデバイスＩＤとに関する情報を対応付けて保持しており、これらを利用して認証処理を行なう。なお、携帯端末３０や認証デバイス４０を所有するユーザは、印刷ジョブを生成するために、クライアント装置１０を使用する場合がある。
【００１２】
携帯端末３０は、クライアント装置１０で生成された印刷ジョブの出力権限を委譲するための操作を受け付けた場合に、該携帯端末３０を所有するユーザの認証後、印刷ジョブ情報を印刷サーバ５０から取得し、取得した印刷ジョブ情報の一覧を画面表示する。そして、携帯端末３０は、一覧から印刷ジョブ情報が選択された場合に、近距離無線通信を利用して、認証デバイス４０のデバイスＩＤを取得する。ここで、取得されるデバイスＩＤは、印刷ジョブの出力権限の委譲先となるユーザが所有する認証デバイス４０のデバイスＩＤである。続いて、携帯端末３０は、取得したデバイスＩＤと、選択された印刷ジョブ情報を識別するためのジョブＩＤと、出力権限を委譲する旨を表す委譲情報とを、印刷サーバ５０に対して送信する。かかる携帯端末３０は、スマートフォンや携帯電話機等の端末装置である。また、携帯端末３０は、「端末装置」の一例である。
【００１３】
認証デバイス４０は、画像処理装置６０を使用して印刷ジョブを出力する際の認証のために利用されるデバイスである。かかる認証デバイス４０は、ＩＣ（Integrated  Circuit）カードであっても良いし、上述した携帯端末３０と同様のデバイスであっても良い。すなわち、上述した携帯端末３０は、画像処理装置６０を使用して印刷ジョブを出力する際の認証のためにも利用することができる。本実施の形態では、説明を容易にするために、出力権限の委譲元ユーザが所有するデバイスを携帯端末３０とし、出力権限の委譲先ユーザ（画像処理装置６０を使用して印刷ジョブを出力するユーザ）が所有するデバイスを認証デバイス４０として説明する。
【００１４】
印刷サーバ５０は、印刷ジョブと、該印刷ジョブの印刷ジョブ情報と、出力権限の委譲に関する情報とを保持する。印刷サーバ５０は、要求に応じて、印刷ジョブ情報を携帯端末３０や画像処理装置６０に対して送信するとともに、印刷ジョブを画像処理装置６０に対して送信する。また、印刷サーバ５０は、デバイスＩＤと、ジョブＩＤと、委譲情報とを携帯端末３０から受信した場合に、受信したジョブＩＤとデバイスＩＤとを対応付けて記憶部に追加することにより、出力権限の委譲処理を実行する。これにより、印刷サーバ５０は、印刷ジョブ情報を要求された場合に、該当するユーザの出力権限をもとに、対応する印刷ジョブ情報を送信することができる。
【００１５】
画像処理装置６０は、認証デバイス４０を所有するユーザの認証後、該ユーザが有する出力権限に応じた印刷ジョブ情報を印刷サーバ５０から取得し、印刷ジョブ情報の一覧を表示出力する。そして、画像処理装置６０は、印刷ジョブ情報の選択を受け付けて、対応する印刷ジョブを印刷サーバ５０から取得する。その後、画像処理装置６０は、取得した印刷ジョブの出力を行なう。かかる画像処理装置６０は、ＬＰやＭＦＰ等の画像処理装置である。なお、印刷サーバ５０と画像処理装置６０とは、「情報処理装置」の一例である。すなわち、印刷サーバ５０と画像処理装置６０とを、各機能を含む１台の装置として統合しても良い。
【００１６】
つまり、権限委譲システム１では、携帯端末３０に搭載された近距離無線通信を利用して出力権限の委譲先ユーザが所有する認証デバイス４０のデバイスＩＤが取得され、取得されたデバイスＩＤと、出力権限の委譲対象となる印刷ジョブのジョブＩＤとが対応付けて管理される。これにより、権限委譲システム１では、画像処理装置６０における印刷ジョブの出力時に、認証された認証デバイス４０のデバイスＩＤに対応付けられたジョブＩＤが検出され、検出されたジョブＩＤに対応する印刷ジョブが印刷サーバ５０から取得される。この結果、権限委譲システム１は、印刷ジョブの出力権限を容易に委譲することができる。
【００１７】
［実施の形態１に係る機能構成］
次に、図２を用いて、実施の形態１に係る各装置の機能構成を説明する。図２は、実施の形態１に係る各装置の機能構成例を示すブロック図である。なお、図２では、「端末装置」の一例である携帯端末３０と、「情報処理装置」の一例である印刷サーバ５０及び画像処理装置６０との機能構成について主に説明する。
【００１８】
図２に示すように、携帯端末３０は、通信部３１と、操作表示部３２と、印刷ジョブ情報取得部３３と、探索部３４と、生成部３５とを有する。なお、上記各部については、これらの一部又は全てがソフトウェア（プログラム）で実現されても良いし、ハードウェア回路で実現されても良い。
【００１９】
通信部３１は、外部装置と通信を行なう。通信部３１は、「送信部」の一例である。例えば、通信部３１は、認証処理で利用される情報を認証サーバ２０に送信し、認証処理後に、該認証サーバ２０から認証結果を受信する。また、通信部３１は、印刷ジョブ情報の送信要求や出力権限委譲処理の実行要求を印刷サーバ５０に対して送信し、送信要求に応じて、該印刷サーバ５０から印刷ジョブ情報を受信する。
【００２０】
操作表示部３２は、各種のユーザ操作を受け付けて、ユーザ操作に対する処理結果を表示する。一つの様態として、操作表示部３２は、タッチパネルである。また、操作表示部３２は、「表示部」や「受付部」の一例である。例えば、操作表示部３２は、出力権限の委譲に際し、認証のための操作を受け付ける。認証に利用する情報は、ユーザＩＤやパスワード等であっても良いし、携帯端末３０を識別するための識別子であるデバイスＩＤであっても良いし、これらの組み合わせであっても良い。
【００２１】
ユーザＩＤやパスワードを利用する場合、操作表示部３２は、ユーザＩＤやパスワードの入力を受け付けると、入力されたユーザＩＤやパスワードの送信を通信部３１に依頼する。これにより、通信部３１は、認証のために、ユーザＩＤやパスワードを認証サーバ２０に対して送信する。また、デバイスＩＤを利用する場合、操作表示部３２は、認証を行なうことを表すボタン画像等の操作を受け付けると、携帯端末３０のデバイスＩＤの送信を通信部３１に依頼する。これにより、通信部３１は、認証のために、携帯端末３０のデバイスＩＤを認証サーバ２０に対して送信する。そして、操作表示部３２は、通信部３１によって受信された認証結果を表示する。
【００２２】
このとき、操作表示部３２は、認証結果が有効である場合に、次のステップへ進むための操作を受け付けると、携帯端末３０のデバイスＩＤ（又はユーザＩＤ）に対応する印刷ジョブ情報の取得を印刷ジョブ情報取得部３３に依頼する。これにより、印刷ジョブ情報取得部３３は、通信部３１を介して、デバイスＩＤに対応する印刷ジョブ情報の送信要求を印刷サーバ５０に対して送信し、印刷サーバ５０によって送信された印刷ジョブ情報を取得する。そして、操作表示部３２は、印刷ジョブ情報取得部３３によって取得された印刷ジョブ情報の一覧を表示する。ここで、ユーザは、表示された印刷ジョブ情報の一覧から、出力権限を委譲したい印刷ジョブ情報を選択する操作を行なう。
【００２３】
操作表示部３２は、出力権限を委譲したい印刷ジョブ情報の選択を受け付けた場合に、探索部３４に対して認証デバイス４０の探索を依頼する。これにより、探索部３４は、認証デバイス４０を探索し、接続できた認証デバイス４０のデバイスＩＤを取得して、取得したデバイスＩＤを生成部３５に対して出力する。このとき、操作表示部３２は、認証デバイス４０の探索経過や検出結果を表示する。操作表示部３２は、検出された認証デバイス４０の情報を表示し、その認証デバイス４０に出力権限を委譲する処理を実行しても良いか否かをユーザに選択させても良い。探索部３４は、「探索部」や「取得部」の一例である。
【００２４】
探索部３４による探索は、近距離無線通信により行なわれる。例えば、認証デバイス４０がＩＣカード等である場合には、携帯端末３０側をリーダー／ライターモードで動作させる。また、認証デバイス４０が携帯端末３０と同様の端末装置である場合には、Ｐ２Ｐ（Peer  to  Peer）モード、又は、Ｂｌｕｅｔｏｏｔｈ（登録商標）やＷｉ−Ｆｉ（登録商標）にハンドオーバー接続させる。
【００２５】
生成部３５は、委譲情報を生成する。より具体的には、生成部３５は、探索部３４によって出力された認証デバイス４０のデバイスＩＤを受け付けた場合に、携帯端末３０を所有するユーザが有する印刷ジョブの出力権限を、認証デバイス４０を所有するユーザに委譲することを表す委譲情報を生成する。そして、生成部３５は、操作表示部３２によって受け付けられた印刷ジョブ情報のジョブＩＤと、認証デバイス４０のデバイスＩＤと、生成した委譲情報との、印刷サーバ５０への送信を通信部３１に依頼する。これにより、通信部３１は、ジョブＩＤとデバイスＩＤと委譲情報とを印刷サーバ５０に対して送信する。
【００２６】
また、印刷サーバ５０は、通信部５１と、印刷ジョブ情報取得部５２と、印刷ジョブ情報記憶部５３と、権限委譲処理部５４と、権限委譲記憶部５５と、印刷ジョブ管理処理部５６とを有する。なお、上記各部については、これらの一部又は全てがソフトウェア（プログラム）で実現されても良いし、ハードウェア回路で実現されても良い。
【００２７】
通信部５１は、外部装置と通信を行なう。例えば、通信部５１は、クライアント装置１０によって送信された印刷ジョブを受信する。通信部５１によって印刷ジョブが受信されると、印刷ジョブ管理処理部５６は、印刷ジョブに関する印刷ジョブ情報を抽出し、印刷ジョブ情報記憶部５３に格納する。印刷サーバ５０は、複数のクライアント装置１０から印刷ジョブを受け付けており、印刷ジョブ情報記憶部５３には複数の印刷ジョブ情報が蓄積される。
【００２８】
図３は、実施の形態１に係る印刷ジョブ情報記憶部５３に記憶された情報例を示す図である。図３に示すように、印刷ジョブ情報記憶部５３は、ジョブＩＤと、ジョブ名称と、デバイスＩＤと、ページ数と、カラー／モノクロと、片面／両面と、部数と、用紙サイズと、ステータスと、印刷済みページとに関する情報を対応付けて記憶する。
【００２９】
ジョブＩＤは、印刷ジョブを識別するための識別情報である。ジョブ名称は、印刷ジョブの名称である。デバイスＩＤは、クライアント装置１０を用いて印刷ジョブを生成したユーザが所有する携帯端末３０を識別するための識別情報である。デバイスＩＤの項目については、ユーザＩＤが利用されても良い。ページ数は、印刷ジョブのページ数である。カラー／モノクロは、印刷ジョブ出力の際のカラー印刷又はモノクロ印刷の設定である。片面／両面は、印刷ジョブ出力の際の片面印刷又は両面印刷の設定である。部数は、印刷ジョブ出力の際の部数の設定である。用紙サイズは、印刷ジョブ出力の際の用紙サイズの設定である。ステータスは、画像処理装置６０での印刷処理の状況である。印刷済みページは、画像処理装置６０で印刷処理されたページ数である。
【００３０】
例を挙げると、印刷ジョブ情報記憶部５３は、ジョブＩＤ「１」と、ジョブ名称「ジョブＡ」と、デバイスＩＤ「Ｄ０００１」と、ページ数「１」と、カラー／モノクロ「カラー」と、片面／両面「片面」と、部数「３」と、用紙サイズ「Ａ３」と、ステータス「印刷完了」と、印刷済みページ「１」とを対応付けて記憶する。
【００３１】
また、通信部５１は、携帯端末３０や画像処理装置６０から、印刷ジョブ情報の取得要求を受信し、印刷ジョブ情報取得部５２によって取得された印刷ジョブ情報を、携帯端末３０や画像処理装置６０に対して送信する。また、通信部５１は、携帯端末３０からジョブＩＤと、デバイスＩＤと、委譲情報とを受信し、権限委譲処理部５４に対して出力する。
【００３２】
印刷ジョブ情報取得部５２は、印刷ジョブ情報を取得する。より具体的には、印刷ジョブ情報取得部５２は、通信部５１を介して、携帯端末３０や画像処理装置６０から印刷ジョブ情報の要求を受け付けた場合に、デバイスＩＤ（又はユーザＩＤ）に対応する印刷ジョブ情報を印刷ジョブ情報記憶部５３から取得する。そして、印刷ジョブ情報取得部５２は、取得した印刷ジョブ情報の携帯端末３０や画像処理装置６０への送信を通信部５１に対して依頼する。また、印刷ジョブ情報の取得に際して、印刷ジョブ情報取得部５２は、権限委譲記憶部５５も利用する。権限委譲記憶部５５を利用した印刷ジョブ情報の取得については後述する。
【００３３】
権限委譲処理部５４は、委譲情報を受け付けた場合に、権限委譲処理を実行する。より具体的には、権限委譲処理部５４は、通信部５１によって委譲情報が受信された場合に、委譲情報とともに受信されたジョブＩＤとデバイスＩＤ（又はユーザＩＤ）とを対応付けて権限委譲記憶部５５に格納する。権限委譲記憶部５５は、印刷ジョブを識別するためのジョブＩＤと、出力権限を委譲されたユーザが所有する認証デバイス４０のデバイスＩＤとを対応付けて記憶する。
【００３４】
図４は、実施の形態１に係る権限委譲記憶部５５に記憶された情報例を示す図である。図４に示すように、権限委譲記憶部５５には、ジョブＩＤと、デバイスＩＤとに関する情報を対応付けて記憶する。ジョブＩＤは、印刷ジョブ情報記憶部５３に記憶されたジョブＩＤと同様の情報であり、印刷ジョブを識別するための識別情報である。デバイスＩＤは、印刷ジョブの出力権限を委譲されたユーザが所有する認証デバイス４０を識別するための識別情報である。デバイスＩＤの項目については、ユーザＩＤが利用されても良い。例を挙げると、権限委譲記憶部５５は、ジョブＩＤ「１」と、デバイスＩＤ「Ｄ０００２」とを対応付けて記憶する。
【００３５】
すなわち、ジョブＩＤ「１」とデバイスＩＤ「Ｄ０００２」とが権限委譲記憶部５５に記憶されている場合に、デバイスＩＤが「Ｄ０００２」である認証デバイス４０を所有するユーザは、ジョブＩＤが「１」である印刷ジョブの出力権限を委譲されたことを表す。また、図３に示した印刷ジョブ情報記憶部５３には、ジョブＩＤ「１」とデバイスＩＤ「Ｄ０００１」とが対応付けられていることから、デバイスＩＤが「Ｄ０００１」である携帯端末３０を所有するユーザが、デバイスＩＤが「Ｄ０００２」である認証デバイス４０を所有するユーザへ、ジョブＩＤが「１」である印刷ジョブの出力権限を委譲したことがわかる。
【００３６】
権限委譲処理部５４による処理によって、出力権限を委譲されたジョブＩＤとデバイスＩＤとが権限委譲記憶部５５に記憶されているため、印刷ジョブ情報取得部５２は、以下で説明するように印刷ジョブ情報を取得する。具体的には、印刷ジョブ情報取得部５２は、印刷ジョブ情報記憶部５３と、権限委譲記憶部５５とを参照し、デバイスＩＤ（又はユーザＩＤ）に対応するジョブＩＤを検索し、ジョブＩＤに対応する印刷ジョブ情報を印刷ジョブ情報記憶部５３から取得する。
【００３７】
例えば、印刷ジョブ情報取得部５２は、権限委譲記憶部５５を参照し、デバイスＩＤに対応するジョブＩＤを検索する。そして、印刷ジョブ情報取得部５２は、検索により検出したジョブＩＤに対応する印刷ジョブ情報を印刷ジョブ情報記憶部５３から取得する。加えて、印刷ジョブ情報取得部５２は、デバイスＩＤに対応する印刷ジョブ情報を印刷ジョブ情報記憶部５３から取得する。すなわち、印刷ジョブ情報記憶部５３は、出力権限が委譲された印刷ジョブのジョブＩＤと、元々出力権限が存在する印刷ジョブのデバイスＩＤとに対応する印刷ジョブ情報を、印刷ジョブ情報記憶部５３から取得することになる。これらにより、携帯端末３０や画像処理装置６０においては、認証されたユーザが出力権限を有する印刷ジョブ情報全てが表示される。
【００３８】
印刷ジョブ管理処理部５６は、画像処理装置６０における印刷処理の経過に伴い、通信部５１を介して印刷処理に係る情報が取得されると、印刷ジョブ情報記憶部５３に記憶された情報を適宜更新する。また、印刷ジョブ管理処理部５６は、印刷ジョブ情報記憶部５３に記憶されたステータスが「印刷完了」となっている情報について定期的に削除する。
【００３９】
また、画像処理装置６０は、通信部６１と、操作表示部６２と、探索部６３と、印刷ジョブ情報取得部６４と、画像処理部６５とを有する。なお、上記各部については、これらの一部又は全てがソフトウェア（プログラム）で実現されても良いし、ハードウェア回路で実現されても良い。
【００４０】
通信部６１は、外部装置と通信を行なう。例えば、通信部６１は、認証処理で利用される情報を認証サーバ２０に送信し、認証処理後に、該認証サーバ２０から認証結果を受信する。また、通信部６１は、印刷ジョブ情報や印刷ジョブの送信要求を印刷サーバ５０に対して送信し、送信要求に応じて、該印刷サーバ５０から印刷ジョブ情報や印刷ジョブを受信する。
【００４１】
操作表示部６２は、各種のユーザ操作を受け付けて、ユーザ操作に対する処理結果を表示する。一つの様態として、操作表示部６２は、タッチパネルである。例えば、操作表示部６２は、印刷ジョブの出力に際し、認証を行なうための操作を受け付けた場合に、探索部６３に対して認証デバイス４０の探索を依頼する。依頼を受け付けた探索部６３は、認証デバイス４０を探索し、接続できた認証デバイス４０のデバイスＩＤを取得して、取得したデバイスＩＤの送信を通信部６１に依頼する。これにより、通信部６１は、認証のために、認証デバイス４０のデバイスＩＤを認証サーバ２０に対して送信する。そして、操作表示部６２は、通信部６１によって受信された認証結果を表示する。
【００４２】
このとき、操作表示部６２は、認証結果が有効である場合に、次のステップへ進むための操作を受け付けると、認証デバイス４０のデバイスＩＤに対応する印刷ジョブ情報の取得を印刷ジョブ情報取得部６４に依頼する。これにより、印刷ジョブ情報取得部６４は、通信部６１を介して、デバイスＩＤに対応する印刷ジョブ情報の送信要求を印刷サーバ５０に対して送信し、印刷サーバ５０によって送信された印刷ジョブ情報を取得する。ここで取得される印刷ジョブ情報は、上述したように、出力権限を委譲された印刷ジョブの情報も含まれる。そして、操作表示部６２は、印刷ジョブ情報取得部６４によって取得された印刷ジョブ情報の一覧を表示する。ここで、ユーザは、表示された印刷ジョブ情報の一覧から、出力したい印刷ジョブ情報を選択する操作を行なう。操作表示部６２は、出力したい印刷ジョブ情報の選択を受け付けた場合に、選択を受け付けた印刷ジョブ情報のジョブＩＤを、画像処理部６５に対して出力する。
【００４３】
画像処理部６５は、印刷ジョブの画像処理を実行する。より具体的には、画像処理部６５は、操作表示部６２によって出力されたジョブＩＤを受け付けた場合に、受け付けたジョブＩＤに対応する印刷ジョブの送信要求を通信部６１に依頼する。これにより、通信部６１は、ジョブＩＤに対応する印刷ジョブの送信要求を印刷サーバ５０に対して送信し、印刷サーバ５０によって送信された印刷ジョブを受信する。その後、画像処理部６５は、通信部６１によって受信された印刷ジョブの印刷処理を実行する。
【００４４】
［実施の形態１に係る印刷ジョブ蓄積処理］
次に、図５を用いて、実施の形態１に係る印刷ジョブ蓄積処理の流れを説明する。図５は、実施の形態１に係る印刷ジョブ蓄積処理の流れの例を示すシーケンス図である。なお、印刷ジョブ蓄積処理とは、主に、クライアント装置１０と印刷サーバ５０とによる処理を指す。
【００４５】
図５に示すように、クライアント装置１０は、ユーザ操作に応じて印刷ジョブを生成する（ステップＳ１０１）。そして、クライアント装置１０は、生成した印刷ジョブを印刷サーバ５０に対して送信する（ステップＳ１０２）。また、印刷サーバ５０は、クライアント装置１０によって送信された印刷ジョブを受信する（ステップＳ１０３）。そして、印刷サーバ５０は、受信した印刷ジョブと、該印刷ジョブに関する印刷ジョブ情報を印刷ジョブ情報記憶部５３に格納する（ステップＳ１０４，ステップＳ１０５）。
【００４６】
［実施の形態１に係る出力権限委譲処理］
次に、図６を用いて、実施の形態１に係る出力権限委譲処理の流れを説明する。図６は、実施の形態１に係る出力権限委譲処理の流れの例を示すシーケンス図である。なお、出力権限委譲処理とは、主に、携帯端末３０と印刷サーバ５０とによる処理を指す。
【００４７】
図６に示すように、携帯端末３０は、認証のための操作をユーザから受け付ける（ステップＳ２０１）。そして、携帯端末３０は、該携帯端末３０のデバイスＩＤ（又はユーザＩＤ、パスワード）を認証サーバ２０に送信し、認証処理を要求する（ステップＳ２０２）。ここで、携帯端末３０は、認証サーバ２０によって応答された認証結果を受信し、受信した認証結果をもとに、認証が成功したか否かを判定する（ステップＳ２０３）。
【００４８】
このとき、携帯端末３０は、認証が成功した場合に（ステップＳ２０３：Ｙｅｓ）、該携帯端末３０のデバイスＩＤ（又はユーザＩＤ）に対応する印刷ジョブ情報の送信を印刷サーバ５０に対して要求する（ステップＳ２０４）。一方、携帯端末３０は、認証が成功していない場合に（ステップＳ２０３：Ｎｏ）、認証が失敗したことを表す情報を表示し、操作待ちの状態となる。
【００４９】
印刷サーバ５０は、携帯端末３０によって送信されたデバイスＩＤ（又はユーザＩＤ）を受信し、該デバイスＩＤ（又はユーザＩＤ）に対応する印刷ジョブ情報の送信要求を受け付ける（ステップＳ２０５）。そして、印刷サーバ５０は、印刷ジョブ情報記憶部５３からデバイスＩＤ（又はユーザＩＤ）に対応する印刷ジョブ情報を取得し、取得した印刷ジョブ情報を携帯端末３０に対して送信する（ステップＳ２０６）。
【００５０】
携帯端末３０は、印刷サーバ５０によって送信された印刷ジョブ情報を受信し、受信した印刷ジョブ情報の一覧を表示する（ステップＳ２０７）。そして、携帯端末３０は、印刷ジョブ情報の一覧からの選択と、出力権限の委譲のための操作とを受け付ける（ステップＳ２０８）。続いて、携帯端末３０は、出力権限の委譲先となる認証デバイス４０を探索する（ステップＳ２０９）。このとき、携帯端末３０は、認証デバイス４０を検出できた場合に（ステップＳ２１０：Ｙｅｓ）、検出できた認証デバイス４０のデバイスＩＤを取得する（ステップＳ２１１）。一方、携帯端末３０は、認証デバイス４０を検出できない場合に（ステップＳ２１０：Ｎｏ）、ステップＳ２０９における処理を実行し、認証デバイス４０の探索を試みる。なお、携帯端末３０は、探索において所定回数タイムアウトした場合には、探索できない旨を表示して処理を終了しても良い。
【００５１】
その後、携帯端末３０は、出力権限を委譲する旨を表す委譲情報と、選択された印刷ジョブ情報に対応するジョブＩＤと、認証デバイス４０のデバイスＩＤとを、印刷サーバ５０に対して送信することにより、印刷ジョブの出力権限委譲処理を要求する（ステップＳ２１２）。印刷サーバ５０は、携帯端末３０から出力権限委譲処理の要求を受け付けると、出力権限を委譲するジョブＩＤと、認証デバイス４０のデバイスＩＤとを、権限委譲記憶部５５に追加する（ステップＳ２１３）。
【００５２】
［実施の形態１に係る画像処理］
次に、図７を用いて、実施の形態１に係る画像処理の流れを説明する。図７は、実施の形態１に係る画像処理の流れの例を示すシーケンス図である。なお、画像処理とは、主に、画像処理装置６０と印刷サーバ５０とによる処理を指す。
【００５３】
図７に示すように、画像処理装置６０は、印刷ジョブの出力に際し、認証デバイス４０を探索して認証を行なうための操作を受け付ける（ステップＳ３０１）。そして、画像処理装置６０は、認証デバイス４０を探索する（ステップＳ３０２）。このとき、画像処理装置６０は、認証デバイス４０を検出できた場合に（ステップＳ３０３：Ｙｅｓ）、検出できた認証デバイス４０のデバイスＩＤを取得し、取得したデバイスＩＤを認証サーバ２０に対して送信して、認証処理を要求する（ステップＳ３０４）。
【００５４】
一方、画像処理装置６０は、認証デバイス４０を検出できない場合に（ステップＳ３０３：Ｎｏ）、ステップＳ３０２における処理を再度実行する。但し、画像処理装置６０は、タイムアウト等により認証デバイス４０の探索をキャンセルするための操作が行なわれた場合に、処理を終了する。続いて、画像処理装置６０は、認証サーバ２０によって応答された認証結果を受信し、受信した認証結果をもとに、認証が成功したか否かを判定する（ステップＳ３０５）。
【００５５】
このとき、画像処理装置６０は、認証が成功した場合に（ステップＳ３０５：Ｙｅｓ）、検出した認証デバイス４０のデバイスＩＤに対応する印刷ジョブ情報の送信を印刷サーバ５０に対して要求する（ステップＳ３０６）。一方、画像処理装置６０は、認証が成功していない場合に（ステップＳ３０５：Ｎｏ）、認証が失敗したことを表す情報を表示し、操作待ちの状態となる。
【００５６】
印刷サーバ５０は、画像処理装置６０によって送信されたデバイスＩＤを受信し、該デバイスＩＤに対応する印刷ジョブ情報の送信要求を受け付ける（ステップＳ３０７）。そして、印刷サーバ５０は、権限委譲記憶部５５に記憶された、デバイスＩＤに対応するジョブＩＤと、印刷ジョブ情報記憶部５３に記憶された、デバイスＩＤに対応するジョブＩＤとに該当する印刷ジョブ情報を、印刷ジョブ情報記憶部５３から取得する（ステップＳ３０８）。その後、印刷サーバ５０は、取得した印刷ジョブ情報を画像処理装置６０に対して送信する（ステップＳ３０９）。
【００５７】
画像処理装置６０は、印刷サーバ５０によって送信された印刷ジョブ情報を受信し、受信した印刷ジョブ情報の一覧を表示する（ステップＳ３１０）。そして、画像処理装置６０は、印刷ジョブ情報の一覧からの選択と、印刷ジョブを出力するための操作とを受け付ける（ステップＳ３１１）。続いて、画像処理装置６０は、選択された印刷ジョブ情報のジョブＩＤと、該ジョブＩＤに対応する印刷ジョブの要求とを、印刷サーバ５０に対して送信する（ステップＳ３１２）。
【００５８】
印刷サーバ５０は、画像処理装置６０から、ジョブＩＤと、該ジョブＩＤに対応する印刷ジョブの要求とを受け付ける（ステップＳ３１３）。そして、印刷サーバ５０は、ジョブＩＤに対応する印刷ジョブを印刷ジョブ情報記憶部５３から取得し、取得した印刷ジョブを画像処理装置６０に対して送信する（ステップＳ３１４）。これらにより、画像処理装置６０は、印刷サーバ５０によって送信された印刷ジョブを受信し、受信した印刷ジョブの画像処理を実行することにより印刷を行なう（ステップＳ３１５）。
【００５９】
［実施の形態１による効果］
携帯端末３０は、出力権限の委譲先となる認証デバイス４０を、近距離無線通信等を利用して検出し、認証デバイス４０のデバイスＩＤと、委譲する印刷ジョブのジョブＩＤとを、印刷サーバ５０に送信する。印刷サーバ５０は、携帯端末３０から受信したデバイスＩＤとジョブＩＤとを対応付けて権限委譲記憶部５５に格納する。画像処理装置６０は、認証デバイス４０を所有するユーザによって印刷のための操作が行なわれた場合に、権限委譲記憶部５５に記憶されたデバイスＩＤに対応するジョブＩＤを特定し、特定したジョブＩＤに対応する印刷ジョブも含め、出力可能な印刷ジョブ情報を表示する。これらの結果、権限委譲システム１は、印刷ジョブの出力権限を容易に委譲することができる。
【００６０】
（実施の形態２）
上記実施の形態１では、携帯端末３０を所有するユーザが、認証デバイス４０を所有するユーザに、印刷ジョブの出力権限を委譲する場合を説明した。印刷ジョブの出力権限の委譲後においては、携帯端末３０を所有するユーザは該印刷ジョブの出力を望まない場合もある。そこで、実施の形態２では、印刷ジョブの出力権限の委譲後に、委譲元のユーザが出力可能な印刷ジョブ情報の表示に、委譲した印刷ジョブを含めないようにする場合を説明する。なお、実施の形態２に係る権限委譲システム１のシステム構成は、実施の形態１と同様である。
【００６１】
［実施の形態２に係る機能構成］
図８を用いて、実施の形態２に係る各装置の機能構成を説明する。図８は、実施の形態２に係る各装置の機能構成例を示すブロック図である。実施の形態２では、実施の形態１と同様の構成については同一の符号を付し、同様の構成については詳細な説明を省略する場合がある。
【００６２】
図８に示すように、携帯端末３０ａは、通信部３１ａと、操作表示部３２ａと、印刷ジョブ情報取得部３３と、探索部３４と、生成部３５とを有する。なお、上記各部については、これらの一部又は全てがソフトウェア（プログラム）で実現されても良いし、ハードウェア回路で実現されても良い。
【００６３】
操作表示部３２ａは、印刷ジョブの出力権限の委譲後に、出力権限の委譲元であるユーザが出力可能な印刷ジョブ情報として表示させるか否かを設定するための表示設定を受け付ける。より具体的には、操作表示部３２ａは、携帯端末３０ａを所有するユーザが出力可能な印刷ジョブ情報を一覧表示するときに、表示させるか否かを設定するための画面を表示し、表示させるか否かの設定である表示設定を受け付ける。例えば、表示設定は、印刷ジョブの出力を他のユーザに代理で行なわせるために出力権限を委譲する場合に利用され得る。つまり、ユーザは、出力権限を委譲した後は該当する印刷ジョブを出力することはないため、該印刷ジョブに対応する印刷ジョブ情報を一覧表示に表示させないように設定する。
【００６４】
このような表示設定は、出力権限を委譲するための操作が行なわれるときや、任意のタイミングで行なわれれば良い。操作表示部３２ａは、受け付けた表示設定と、該当するジョブＩＤとを印刷サーバ５０ａに対して送信するように通信部３１ａに依頼する。通信部３１ａは、操作表示部３２ａから表示設定を受け付けた場合に、ジョブＩＤと表示設定とを印刷サーバ５０ａに対して送信する。これらにより、携帯端末３０ａによって印刷ジョブ情報の送信要求が行なわれた場合、表示させない表示設定がなされている印刷ジョブ情報については、印刷サーバ５０ａから送信されないため、印刷ジョブ情報の一覧にも含まれなくなる。
【００６５】
なお、表示設定は、生成した印刷ジョブを印刷サーバ５０ａに送信するときにクライアント装置１０によって行なわれても良い。但し、印刷ジョブを印刷サーバ５０ａに送信するときに表示設定が行なわれた場合には、ジョブＩＤが付与されていないため、印刷ジョブとともに表示設定を送信し、印刷ジョブ情報の設定時に、表示設定も登録すれば良い。
【００６６】
また、印刷サーバ５０ａは、通信部５１ａと、印刷ジョブ情報取得部５２ａと、印刷ジョブ情報記憶部５３ａと、権限委譲処理部５４と、権限委譲記憶部５５と、印刷ジョブ管理処理部５６ａとを有する。なお、上記各部については、これらの一部又は全てがソフトウェア（プログラム）で実現されても良いし、ハードウェア回路で実現されても良い。
【００６７】
例えば、通信部５１ａは、携帯端末３０ａによって送信された表示設定及びジョブＩＤを受信し、印刷ジョブ管理処理部５６ａに対して出力する。印刷ジョブ管理処理部５６ａは、通信部５１ａによって出力された表示設定及びジョブＩＤをもとに、該ジョブＩＤに対応する表示設定を印刷ジョブ情報記憶部５３ａに格納する。
【００６８】
図９は、実施の形態２に係る印刷ジョブ情報記憶部５３ａに記憶された情報例を示す図である。図９に示すように、印刷ジョブ情報記憶部５３ａは、ジョブＩＤと、ジョブ名称と、デバイスＩＤと、ページ数と、カラー／モノクロと、片面／両面と、部数と、用紙サイズと、ステータスと、印刷済みページと、表示設定とに関する情報を対応付けて記憶する。
【００６９】
例を挙げると、印刷ジョブ情報記憶部５３ａは、ジョブＩＤ「２」と、ジョブ名称「ジョブＢ」と、デバイスＩＤ「Ｄ０００２」と、ページ数「５」と、カラー／モノクロ「モノクロ」と、片面／両面「両面」と、部数「１」と、用紙サイズ「Ａ４」と、ステータス「印刷中断」と、印刷済みページ「２」と、表示設定「非表示」とを対応付けて記憶する。
【００７０】
また、印刷ジョブ情報取得部５２ａは、携帯端末３０ａ等から印刷ジョブ情報の取得要求を受け付けた場合に、印刷ジョブ情報記憶部５３ａに記憶されたジョブＩＤに対応する印刷ジョブ情報のうち、表示設定が「表示」となっている印刷ジョブ情報を取得する。また、印刷ジョブ管理処理部５６ａは、出力権限を委譲した印刷ジョブ情報のうち、表示設定が「非表示」となっている情報について、画像処理装置６０から印刷が完了した旨の通知を受け付けた場合に、これ以降は利用されることはないため、印刷ジョブ情報記憶部５３ａから削除しても良い。
【００７１】
また、画像処理装置６０は、通信部６１と、操作表示部６２と、探索部６３と、印刷ジョブ情報取得部６４と、画像処理部６５とを有する。なお、上記各部については、これらの一部又は全てがソフトウェア（プログラム）で実現されても良いし、ハードウェア回路で実現されても良い。また、画像処理装置６０は、実施の形態１と同様の構成であるため詳細な説明を省略する。
【００７２】
［実施の形態２に係る出力権限委譲処理］
次に、図１０を用いて、実施の形態２に係る出力権限委譲処理の流れを説明する。図１０は、実施の形態２に係る出力権限委譲処理の流れの例を示すシーケンス図である。すなわち、図１０では、出力権限委譲処理時に、表示設定を行なう場合を例に挙げる。なお、実施の形態１に係る出力権限委譲処理の流れと同様の処理については、詳細な説明を省略する。具体的には、ステップＳ４０１〜ステップＳ４０７は、ステップＳ２０１〜ステップＳ２０７における処理と同様である。また、ステップＳ４０９〜ステップＳ４１１は、ステップＳ２０９〜ステップＳ２１１における処理と同様である。
【００７３】
図１０に示すように、携帯端末３０ａは、印刷ジョブ情報の一覧からの選択と、表示設定と、出力権限の委譲のための操作とを受け付ける（ステップＳ４０８）。そして、認証デバイス４０のデバイスＩＤの取得後、携帯端末３０ａは、出力権限を委譲する旨を表す委譲情報と、選択された印刷ジョブ情報に対応するジョブＩＤと、認証デバイス４０のデバイスＩＤと、表示設定とを、印刷サーバ５０ａに対して送信することにより、印刷ジョブの出力権限委譲処理を要求する（ステップＳ４１２）。印刷サーバ５０ａは、携帯端末３０ａから出力権限委譲処理の要求を受け付けると、出力権限を委譲するジョブＩＤと、認証デバイス４０のデバイスＩＤとを、権限委譲記憶部５５に追加するとともに、ジョブＩＤに対応する表示設定を印刷ジョブ情報記憶部５３ａに格納する（ステップＳ４１３）。
【００７４】
［実施の形態２による効果］
権限委譲システム１は、出力権限の委譲後に出力権限を委譲した印刷ジョブ情報を表示させるか否かを設定するための表示設定を受け付け、表示させない設定となっている印刷ジョブ情報を、一覧に表示させないようにする。この結果、権限委譲システム１は、印刷を望まない印刷ジョブを誤って出力してしまうことを抑制できるとともに、印刷ジョブ情報を送受信する際の通信負荷を削減することができる。
【００７５】
（実施の形態３）
上記実施の形態１では、出力権限を委譲された印刷ジョブを出力する場合を説明した。出力権限を委譲する印刷ジョブについては、出力可能な回数を設定することもできる。そこで、実施の形態３では、出力権限を委譲する印刷ジョブの出力回数を設定する場合を説明する。なお、実施の形態３に係る権限委譲システム１のシステム構成は、実施の形態１と同様である。
【００７６】
［実施の形態３に係る機能構成］
図１１を用いて、実施の形態３に係る各装置の機能構成を説明する。図１１は、実施の形態３に係る各装置の機能構成例を示すブロック図である。実施の形態３では、実施の形態１と同様の構成については同一の符号を付し、同様の構成については詳細な説明を省略する場合がある。
【００７７】
図１１に示すように、携帯端末３０ｂは、通信部３１ｂと、操作表示部３２ｂと、印刷ジョブ情報取得部３３と、探索部３４と、生成部３５とを有する。なお、上記各部については、これらの一部又は全てがソフトウェア（プログラム）で実現されても良いし、ハードウェア回路で実現されても良い。
【００７８】
操作表示部３２ｂは、印刷ジョブの出力権限の委譲後に、出力権限の委譲先であるユーザが出力可能な回数を表す回数設定を受け付ける。より具体的には、操作表示部３２ｂは、出力権限を委譲されたユーザが印刷ジョブを出力可能な回数を設定するための画面を表示し、出力可能な回数の値である回数設定を受け付ける。このような回数設定は、出力権限を委譲するための操作が行なわれるときや、出力権限の委譲後の任意のタイミングで行なわれれば良い。操作表示部３２ｂは、受け付けた回数設定と、該当するジョブＩＤと、デバイスＩＤとを印刷サーバ５０ｂに対して送信するように通信部３１ｂに依頼する。通信部３１ｂは、操作表示部３２ｂから回数設定を受け付けた場合に、ジョブＩＤとデバイスＩＤと回数設定とを印刷サーバ５０ｂに対して送信する。また、回数設定は、出力権限の委譲先であるユーザが複数存在する場合に、以下で説明するように、少なくとも２通りの設定が存在する。
【００７９】
１つ目は、出力権限の委譲先である複数ユーザそれぞれに対して回数設定を行なう場合である。かかる場合、操作表示部３２ｂは、出力権限の委譲先である複数ユーザそれぞれに対する回数設定を受け付ける。２つ目は、出力権限の委譲先である複数ユーザ全てを合わせて回数設定を行なう場合である。かかる場合、操作表示部３２ｂは、出力権限の委譲先である複数ユーザの数に関係なく、回数設定を受け付ける。つまり、２つ目のケースでは、出力権限を委譲されたあるユーザが、設定された回数分の出力を行なうことができるため、出力権限を委譲されている他のユーザが出力できない可能性もある。
【００８０】
また、印刷サーバ５０ｂは、通信部５１ｂと、印刷ジョブ情報取得部５２と、印刷ジョブ情報記憶部５３ｂと、権限委譲処理部５４ｂと、権限委譲記憶部５５ｂと、印刷ジョブ管理処理部５６ｂとを有する。なお、上記各部については、これらの一部又は全てがソフトウェア（プログラム）で実現されても良いし、ハードウェア回路で実現されても良い。
【００８１】
例えば、通信部５１ｂは、携帯端末３０ｂによって送信された回数設定、ジョブＩＤ及びデバイスＩＤを受信し、印刷ジョブ管理処理部５６ｂと権限委譲処理部５４ｂとに対して出力する。
【００８２】
印刷ジョブ管理処理部５６ｂは、通信部５１ｂによって出力された回数設定をもとに、出力可能な全回数を導出し、ジョブＩＤに対応する出力可能全回数を印刷ジョブ情報記憶部５３ｂに格納する。なお、出力可能な全回数の導出は、複数ユーザそれぞれに対して回数設定が行なわれている場合である。また、印刷ジョブ管理処理部５６ｂは、画像処理装置６０における印刷処理の経過に伴い、通信部５１ｂを介して、出力権限を委譲したジョブＩＤに対応する印刷ジョブの出力が行なわれた旨の情報が取得されると、該当するジョブＩＤに対応する出力回数全回数の値を「１」デクリメントする。
【００８３】
権限委譲処理部５４ｂは、通信部５１ｂによって出力された回数設定、ジョブＩＤ及びデバイスＩＤをもとに、ジョブＩＤ及びデバイスＩＤに対応する回数設定を権限委譲記憶部５５ｂに格納する。また、権限委譲処理部５４ｂは、画像処理装置６０における印刷処理の経過に伴い、通信部５１ｂを介して、出力権限を委譲したジョブＩＤ及びデバイスＩＤに対応する印刷ジョブの出力が行なわれた旨の情報が取得されると、該当するジョブＩＤ及びデバイスＩＤに対応する回数設定の値を「１」デクリメントする。
【００８４】
図１２は、実施の形態３に係る印刷ジョブ情報記憶部５３ｂに記憶された情報例を示す図である。図１２に示すように、印刷ジョブ情報記憶部５３ｂは、ジョブＩＤと、ジョブ名称と、デバイスＩＤと、ページ数と、カラー／モノクロと、片面／両面と、部数と、用紙サイズと、ステータスと、印刷済みページと、出力可能全回数とに関する情報を対応付けて記憶する。
【００８５】
ここで、「出力可能全回数」には、「−１」、「０」又は正の整数が格納される。例えば、「−１」は、初期値であり、印刷ジョブの出力権限が委譲されていない状態を表す。この他については、印刷ジョブの出力権限を委譲された全ユーザが出力可能な残り回数を表している。すなわち、「０」は、当初設定されていた回数分の出力が既になされているため出力不可であることを表す。また、「１」や「２」は、その値の回数だけ、印刷ジョブの出力権限を委譲された全ユーザが出力可能であることを表している。
【００８６】
図１３は、実施の形態３に係る権限委譲記憶部５５ｂに記憶された情報例を示す図である。図１３に示すように、権限委譲記憶部５５ｂは、ジョブＩＤと、デバイスＩＤと、回数設定とに関する情報を対応付けて記憶する。
【００８７】
ここで、「回数設定」には、「−１」、「０」又は正の整数が格納される。例えば、「−１」は、無制限に出力可能であることを表す。この他については、印刷ジョブの出力権限を委譲された各ユーザが出力可能な残り回数を表している。すなわち、「０」は、当初設定されていた回数分の出力が既になされているため出力不可であることを表す。また、「１」や「２」は、その値の回数だけ、印刷ジョブの出力権限を委譲された各ユーザが出力可能であることを表している。
【００８８】
図１４Ａ〜図１４Ｃを用いて、出力権限の委譲先である複数ユーザそれぞれに対して回数設定が行なわれた場合における、印刷ジョブ情報記憶部５３ｂ及び権限委譲記憶部５５ｂの更新について説明する。図１４Ａ〜図１４Ｃは、出力権限の委譲先である複数ユーザそれぞれに対して回数設定が行なわれた場合における、印刷ジョブ情報記憶部５３ｂ及び権限委譲記憶部５５ｂの更新例を説明する図である。
【００８９】
図１４Ａの上方は、回数設定が行なわれる前の印刷ジョブ情報記憶部５３ｂに記憶される情報例である。例えば、印刷ジョブ情報記憶部５３ｂには、ジョブＩＤ「３」と、ジョブ名称「ジョブＣ」と、デバイスＩＤ「Ｄ０００３」と、ページ数「１０」と、カラー／モノクロ「カラー」と、片面／両面「片面」と、部数「１」と、用紙サイズ「Ａ４」と、ステータス「印刷完了」と、印刷済みページ「１０」と、出力可能全回数「−１」とが対応付けて記憶されている。
【００９０】
上述した状態において、デバイスＩＤが「Ｄ０００３」である携帯端末３０ｂを所有するユーザが、デバイスＩＤが「Ｄ０００１」である認証デバイス４０を所有するユーザと、デバイスＩＤが「Ｄ０００２」である認証デバイス４０を所有するユーザとに、ジョブＩＤが「３」である印刷ジョブの出力権限を委譲するとともに、それぞれのユーザに１回の回数設定を行なう場合を例に挙げる。これにより、図１４Ａの下方に示すように、印刷ジョブ情報記憶部５３ｂは、出力可能全回数が「２」に更新される。また、権限委譲記憶部５５ｂは、回数設定が「１」にそれぞれ更新される。
【００９１】
その後、デバイスＩＤが「Ｄ０００１」である認証デバイス４０を所有するユーザが、出力権限を委譲されたジョブＩＤ「３」に対応する印刷ジョブを出力したものとする。これにより、図１４Ｂに示すように、印刷ジョブ情報記憶部５３ｂは、出力可能全回数が「１」に更新される。また、権限委譲記憶部５５ｂは、ジョブＩＤ「３」及びデバイスＩＤ「Ｄ０００１」に対応する回数設定が「０」に更新される。この時点で、デバイスＩＤが「Ｄ０００１」である認証デバイス４０を所有するユーザは、ジョブＩＤが「３」である印刷ジョブを出力できなくなる。
【００９２】
さらに、デバイスＩＤが「Ｄ０００２」である認証デバイス４０を所有するユーザが、出力権限を委譲されたジョブＩＤ「３」に対応する印刷ジョブを出力したものとする。これにより、図１４Ｃに示すように、印刷ジョブ情報記憶部５３ｂは、出力可能全回数が「０」に更新される。また、権限委譲記憶部５５ｂは、ジョブＩＤ「３」及びデバイスＩＤ「Ｄ０００２」に対応する回数設定が「０」に更新される。この時点で、デバイスＩＤが「Ｄ０００２」である認証デバイス４０を所有するユーザは、ジョブＩＤが「３」である印刷ジョブを出力できなくなる。なお、回数設定が「０」となっている情報については適宜削除しても良く、出力可能全回数が「０」となっている情報についても適宜削除しても良い。
【００９３】
次に、図１５Ａ及び図１５Ｂを用いて、出力権限の委譲先である複数ユーザ全てを合わせて回数設定が行なわれた場合における、印刷ジョブ情報記憶部５３ｂ及び権限委譲記憶部５５ｂの更新について説明する。図１５Ａ及び図１５Ｂは、出力権限の委譲先である複数ユーザ全てを合わせて回数設定が行なわれた場合における、印刷ジョブ情報記憶部５３ｂ及び権限委譲記憶部５５ｂの更新例を説明する図である。
【００９４】
図１５Ａの上方は、回数設定が行なわれる前の印刷ジョブ情報記憶部５３ｂに記憶される情報例である。例えば、印刷ジョブ情報記憶部５３ｂには、ジョブＩＤ「２」と、ジョブ名称「ジョブＢ」と、デバイスＩＤ「Ｄ０００１」と、ページ数「５」と、カラー／モノクロ「モノクロ」と、片面／両面「片面」と、部数「１」と、用紙サイズ「Ａ４」と、ステータス「印刷中断」と、印刷済みページ「２」と、出力可能全回数「−１」とが対応付けて記憶されている。
【００９５】
上述した状態において、デバイスＩＤが「Ｄ０００１」である携帯端末３０ｂを所有するユーザが、デバイスＩＤが「Ｄ０００２」である認証デバイス４０を所有するユーザと、デバイスＩＤが「Ｄ０００３」である認証デバイス４０を所有するユーザとに、ジョブＩＤが「２」である印刷ジョブの出力権限を委譲するとともに、全ユーザを合わせて１回の回数設定を行なう場合を例に挙げる。これにより、図１５Ａの下方に示すように、印刷ジョブ情報記憶部５３ｂは、出力可能全回数が「１」に更新される。また、権限委譲記憶部５５ｂは、回数設定が「１」にそれぞれ更新される。
【００９６】
その後、デバイスＩＤが「Ｄ０００３」である認証デバイス４０を所有するユーザが、出力権限を委譲されたジョブＩＤ「２」に対応する印刷ジョブを出力したものとする。これにより、図１５Ｂに示すように、印刷ジョブ情報記憶部５３ｂは、出力可能全回数が「０」に更新される。また、権限委譲記憶部５５ｂは、ジョブＩＤ「２」及びデバイスＩＤ「Ｄ０００３」に対応する回数設定が「０」に更新される。この時点で、デバイスＩＤが「Ｄ０００３」である認証デバイス４０を所有するユーザは、ジョブＩＤが「２」である印刷ジョブを出力できなくなる。また、デバイスＩＤが「Ｄ０００２」である認証デバイス４０を所有するユーザは、ジョブＩＤ「２」に対応する出力可能全回数が「０」であるため、回数設定が「１」であったとしても、ジョブＩＤが「２」である印刷ジョブを出力できなくなる。若しくは、デバイスＩＤが「Ｄ０００３」である認証デバイス４０を所有するユーザがジョブＩＤ「２」に対応する印刷ジョブを出力したときに、デバイスＩＤ「Ｄ０００２」及びジョブＩＤ「２」に対応する回数設定を「０」に更新しても良い。なお、回数設定が「０」となっている情報については適宜削除しても良く、出力可能全回数が「０」となっている情報についても適宜削除しても良い。このとき、出力可能全回数が「０」となっているジョブＩＤに対応する権限委譲記憶部５５ｂの情報についても、回数設定が「０」でなかったとしても削除する。
【００９７】
また、画像処理装置６０は、通信部６１と、操作表示部６２と、探索部６３と、印刷ジョブ情報取得部６４と、画像処理部６５とを有する。なお、上記各部については、これらの一部又は全てがソフトウェア（プログラム）で実現されても良いし、ハードウェア回路で実現されても良い。また、画像処理装置６０は、実施の形態１と同様の構成であるため詳細な説明を省略する。
【００９８】
［実施の形態３に係る出力権限委譲処理］
次に、図１６を用いて、実施の形態３に係る出力権限委譲処理の流れを説明する。図１６は、実施の形態３に係る出力権限委譲処理の流れの例を示すシーケンス図である。すなわち、図１６では、出力権限委譲時に、回数設定を行なう場合を例に挙げる。なお、実施の形態１に係る出力権限委譲処理の流れと同様の処理については、詳細な説明を省略する。具体的には、ステップＳ５０１〜ステップＳ５０７は、ステップＳ２０１〜ステップＳ２０７における処理と同様である。また、ステップＳ５０９〜ステップＳ５１１は、ステップＳ２０９〜ステップＳ２１１における処理と同様である。
【００９９】
図１６に示すように、携帯端末３０ｂは、印刷ジョブ情報の一覧からの選択と、回数設定と、出力権限の委譲のための操作とを受け付ける（ステップＳ５０８）。そして、認証デバイス４０のデバイスＩＤの取得後、携帯端末３０ｂは、出力権限を委譲する旨を表すデバイスＩＤと、回数設定とを、印刷サーバ５０ｂに対して送信することにより、印刷ジョブの出力権限委譲処理を要求する（ステップＳ５１２）。印刷サーバ５０ｂは、携帯端末３０ｂから出力権限委譲処理の要求を受け付けると、出力権限を委譲するジョブＩＤと、認証デバイス４０のデバイスＩＤと、回数設定の値とを、権限委譲記憶部５５ｂに追加するとともに、ジョブＩＤに対応する出力可能全回数を印刷ジョブ情報記憶部５３ｂに格納する（ステップＳ５１３）。
【０１００】
［実施の形態３による効果］
権限委譲システム１は、出力権限を委譲する印刷ジョブの出力可能な回数を設定するので、用紙やインク等の無駄遣いを削減することができる。
【０１０１】
（実施の形態４）
さて、これまで本発明に係る権限委譲システム１の実施の形態について説明したが、上述した実施の形態以外にも種々の異なる形態にて実施されて良いものである。そこで、（１）印刷中断後に出力権限を委譲、（２）構成、（３）プログラム、について異なる実施の形態を説明する。
【０１０２】
（１）印刷中断後に出力権限を委譲
上記実施の形態では、出力権限を委譲された印刷ジョブを出力することができる権限委譲システム１を説明した。出力権限を委譲された印刷ジョブの出力においては、委譲元のユーザ等によって既に設定されている印刷設定や印刷状況を引き継ぐこともできる。
【０１０３】
図１７は、印刷中断後に出力権限を委譲した場合における画像処理の流れの例を示すシーケンス図である。なお、図１７は、実施の形態１に係る画像処理（図７参照）のステップＳ３１１の後に続く処理である。
【０１０４】
図１７に示すように、画像処理装置６０は、一覧から選択された印刷ジョブ情報の「ステータス」を確認する（ステップＳ６０１）。このとき、画像処理装置６０は、ステータスが「印刷中断」である場合に（ステップＳ６０２：Ｙｅｓ）、中断後の途中のページから印刷を行なうか否かを選択させるための画面を表示する（ステップＳ６０３）。一方、画像処理装置６０は、ステータスが「印刷中断」でない場合に（ステップＳ６０２：Ｎｏ）、上記実施の形態と同様に、選択された印刷ジョブ情報のジョブＩＤと、該ジョブＩＤに対応する印刷ジョブの要求とを、印刷サーバ５０に対して送信する（ステップＳ６０４）。
【０１０５】
また、画像処理装置６０は、中断後の途中のページから印刷を行なう選択がなされると、中断後の途中のページ情報（「印刷済みページ」の情報）と、選択された印刷ジョブ情報のジョブＩＤと、該ジョブＩＤに対応する印刷ジョブの要求とを、印刷サーバ５０に対して送信する（ステップＳ６０４）。ここで、画像処理装置６０は、中断後の途中のページからではなく、全ページの印刷を行なう選択がなされると、上記実施の形態と同様に、選択された印刷ジョブ情報のジョブＩＤと、該ジョブＩＤに対応する印刷ジョブの要求とを、印刷サーバ５０に対して送信する（ステップＳ６０４）。
【０１０６】
印刷サーバ５０は、画像処理装置６０から、ページ情報と、ジョブＩＤと、該ジョブＩＤに対応する印刷ジョブの要求とを受け付ける（ステップＳ６０５）。但し、ページ情報については、中断後の途中のページから印刷を行なう選択がなされた場合に受け付けられる情報である。そして、印刷サーバ５０は、ジョブＩＤに対応する印刷ジョブを印刷ジョブ情報記憶部５３から取得する（ステップＳ６０６）。
【０１０７】
続いて、印刷サーバ５０は、中断後の途中のページから印刷を行なう選択がなされたことを表すページ情報が受け付けられている場合に（ステップＳ６０７：Ｙｅｓ）、該ページ情報に従って、取得した印刷ジョブのページ情報を編集する（ステップＳ６０８）。その後、印刷サーバ５０は、ページ情報を編集した印刷ジョブを画像処理装置６０に対して送信する（ステップＳ６０９）。また、印刷サーバ５０は、中断後の途中のページから印刷を行なう選択がなされたことを表すページ情報が受け付けられていない場合に（ステップＳ６０７：Ｎｏ）、取得した印刷ジョブを画像処理装置６０に対して送信する（ステップＳ６０９）。これらにより、画像処理装置６０は、印刷サーバ５０によって送信された印刷ジョブを受信し、受信した印刷ジョブの画像処理を実行することにより印刷を行なう（ステップＳ６１０）。
【０１０８】
上記では、印刷ジョブ情報の「ステータス」をもとに「印刷済みページ」を引き継ぐ場合を例に挙げた。この他にも、「カラー／モノクロ」、「片面／両面」、「部数」、「用紙サイズ」等の各印刷設定の情報についても、引き継ぐか否か、また、何れを引き継ぐか等を選択させても良い。
【０１０９】
（２）構成
また、上記文書中や図面中等で示した処理手順、制御手順、具体的名称、各種のデータやパラメタ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。例えば、印刷サーバ５０と画像処理装置６０とを、１台の情報処理装置として統合しても良いし、何れかの機能をクラウドコンピューティングにより実現しても良い。
【０１１０】
図１８を用いて、携帯端末３０のハードウェア構成を説明する。図１８は、携帯端末３０のハードウェア構成例を示す図である。図１８に示すように、携帯端末３０は、バス３０１に接続された、ＣＰＵ（Central  Processing  Unit）３０２と、ＲＡＭ（Random  Access  Memory）３０３と、ＲＯＭ（Read  Only  Memory）３０４とを有する。加えて、携帯端末３０は、バス３０１に接続された、操作表示部３０５と、通信Ｉ／Ｆ３０６と、近距離通信Ｉ／Ｆ３０７とを有する。
【０１１１】
ＣＰＵ３０２は、携帯端末３０の動作を統括的に制御する。ＣＰＵ３０２は、ＲＡＭ３０３をワークエリア（作業領域）として、ＲＯＭ３０４等に格納されたプログラムを実行することで、携帯端末３０全体の動作を制御する。操作表示部３０５は、ユーザ操作に応じた各種の入力を受け付けるとともに、ユーザ操作に応じて各種の情報を表示する。例えば、操作表示部３０５は、タッチパネル機能を搭載した液晶表示装置（LCD：Liquid  Crystal  Display）や有機ＥＬ（Electro  Luminescence）表示装置等である。通信Ｉ／Ｆ３０６は、各外部装置と通信するためのインタフェースである。近距離通信Ｉ／Ｆ３０７は、認証デバイス４０等の情報機器とＮＦＣ等による近距離無線通信を行なうためのインタフェースである。
【０１１２】
図１９を用いて、画像処理装置６０のハードウェア構成を説明する。図１９は、ＭＦＰとしての画像処理装置６０のハードウェア構成例を示す図である。図１９に示すように、ＭＦＰとしての画像処理装置６０は、コントローラ６１０と、エンジン部（Engine）６６０とを、ＰＣＩ（Peripheral  Component  Interface）バスで接続した構成となる。コントローラ６１０は、ＭＦＰ全体の制御と描画、通信、図示しない操作部からの入力を制御するコントローラである。エンジン部６６０は、ＰＣＩバスに接続可能なプリンタエンジン等であり、例えば白黒プロッタ、１ドラムカラープロッタ、４ドラムカラープロッタ、スキャナ又はファックスユニット等である。なお、エンジン部６６０には、プロッタ等のいわゆるエンジン部分に加えて、誤差拡張やガンマ変換等の画像処理部分が含まれる。
【０１１３】
コントローラ６１０は、ＣＰＵ６１１と、ノースブリッジ（NB）６１３と、システムメモリ（MEM−P）６１２と、サウスブリッジ（SB）６１４と、ローカルメモリ（MEM−C）６１７と、ＡＳＩＣ（Application  Specific  Integrated  Circuit）６１６と、ハードディスクドライブ（HDD）６１８とを有し、ノースブリッジ６１３とＡＳＩＣ６１６との間をＡＧＰ（Accelerated  Graphics  Port）バス６１５で接続した構成となる。また、ＭＥＭ−Ｐ６１２は、ＲＯＭ（Read  Only  Memory）６１２ａと、ＲＡＭ（Random  Access  Memory）６１２ｂとをさらに有する。
【０１１４】
ＣＰＵ６１１は、ＭＦＰの全体制御を行なうものであり、ノースブリッジ６１３、ＭＥＭ−Ｐ６１２及びサウスブリッジ６１４からなるチップセットを有し、このチップセットを介して他の機器と接続される。
【０１１５】
ノースブリッジ６１３は、ＣＰＵ６１１とＭＥＭ−Ｐ６１２、サウスブリッジ６１４、ＡＧＰバス６１５とを接続するためのブリッジであり、ＭＥＭ−Ｐ６１２に対する読み書き等を制御するメモリコントローラと、ＰＣＩマスタ及びＡＧＰターゲットとを有する。
【０１１６】
ＭＥＭ−Ｐ６１２は、プログラムやデータの格納用メモリ、プログラムやデータの展開用メモリ、プリンタの描画用メモリ等として用いるシステムメモリであり、ＲＯＭ６１２ａとＲＡＭ６１２ｂとからなる。ＲＯＭ６１２ａは、プログラムやデータの格納用メモリとして用いる読み出し専用のメモリであり、ＲＡＭ６１２ｂは、プログラムやデータの展開用メモリ、プリンタの描画用メモリ等として用いる書き込み及び読み出し可能なメモリである。
【０１１７】
サウスブリッジ６１４は、ノースブリッジ６１３とＰＣＩデバイス、周辺デバイスとを接続するためのブリッジである。このサウスブリッジ６１４は、ＰＣＩバスを介してノースブリッジ６１３と接続されており、このＰＣＩバスには、ネットワークインタフェース（Ｉ／Ｆ）部等も接続される。
【０１１８】
ＡＳＩＣ６１６は、画像処理用のハードウェア要素を有する画像処理用途向けのＩＣ（Integrated  Circuit）であり、ＡＧＰバス６１５、ＰＣＩバス、ＨＤＤ６１８及びＭＥＭ−Ｃ６１７をそれぞれ接続するブリッジの役割を有する。このＡＳＩＣ６１６は、ＰＣＩターゲット及びＡＧＰマスタと、ＡＳＩＣ６１６の中核をなすアービタ（ARB）と、ＭＥＭ−Ｃ６１７を制御するメモリコントローラと、ハードウェアロジック等により画像データの回転等を行なう複数のＤＭＡＣ（Direct  Memory  Access  Controller）と、エンジン部６６０との間でＰＣＩバスを介してＦＣＵ（Facsimile  Control  Unit）６３０、ＵＳＢ（Universal  Serial  Bus）６４０、ＩＥＥＥ１３９４（the  Institute  of  Electrical  and  Electronics  Engineers  1394）インタフェース６５０が接続される。操作表示部６２０は、ＡＳＩＣ６１６に直接接続されている。
【０１１９】
ＭＥＭ−Ｃ６１７は、コピー用画像バッファ、符号バッファとして用いるローカルメモリであり、ＨＤＤ（Hard  Disk  Drive）６１８は、画像データの蓄積、プログラムの蓄積、フォントデータの蓄積、フォームの蓄積を行なうためのストレージである。
【０１２０】
ＡＧＰバス６１５は、グラフィック処理を高速化するために提案されたグラフィックスアクセラレータカード用のバスインタフェースである。また、ＡＧＰバス６１５は、ＭＥＭ−Ｐ６１２に高スループットで直接アクセスすることにより、グラフィックスアクセラレータカードを高速にするものである。
【０１２１】
（３）プログラム
また、携帯端末３０で実行される権限委譲プログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、携帯端末３０で実行される権限委譲プログラムを、インターネット等のネットワークに接続されたコンピュータ上に格納し、ネットワーク経由でダウンロードさせることにより提供するようにしても良い。また、携帯端末３０で実行される権限委譲プログラムをインターネット等のネットワーク経由で提供又は配布するように構成しても良い。また、携帯端末３０で実行される権限委譲プログラムを、ＲＯＭ等に予め組み込んで提供するように構成しても良い。
【０１２２】
携帯端末３０で実行される権限委譲プログラムは、上述した各部（探索部３４、生成部３５、通信部３１）を含むモジュール構成となっており、実際のハードウェアとしてはＣＰＵ（プロセッサ）が記憶媒体から権限委譲プログラムを読み出して実行することにより、上記各部が主記憶装置上にロードされ、探索部３４、生成部３５、通信部３１が主記憶装置上に生成されるようになっている。
【符号の説明】
【０１２３】
１  権限委譲システム
１０  クライアント装置
２０  認証サーバ
３０  携帯端末
３１  通信部
３２  操作表示部
３３  印刷ジョブ情報取得部
３４  探索部
３５  生成部
４０  認証デバイス
５０  印刷サーバ
５１  通信部
５２  印刷ジョブ情報取得部
５３  印刷ジョブ情報記憶部
５４  権限委譲処理部
５５  権限委譲記憶部
５６  印刷ジョブ管理処理部
６０  画像処理装置
６１  通信部
６２  操作表示部
６３  探索部
６４  印刷ジョブ情報取得部
６５  画像処理部
【先行技術文献】
【特許文献】
【０１２４】
【特許文献１】特許第４４２０４６７号公報
【図１】
2015176506.tif 000003
【図２】
2015176506.tif 000004
【図３】
2015176506.tif 000005
【図４】
2015176506.tif 000006
【図５】
2015176506.tif 000007
【図６】
2015176506.tif 000008
【図７】
2015176506.tif 000009
【図８】
2015176506.tif 000010
【図９】
2015176506.tif 000011
【図１０】
2015176506.tif 000012
【図１１】
2015176506.tif 000013
【図１２】
2015176506.tif 000014
【図１３】
2015176506.tif 000015
【図１４Ａ】
2015176506.tif 000016
【図１４Ｂ】
2015176506.tif 000017
【図１４Ｃ】
2015176506.tif 000018
【図１５Ａ】
2015176506.tif 000019
【図１５Ｂ】
2015176506.tif 000020
【図１６】
2015176506.tif 000021
【図１７】
2015176506.tif 000022
【図１８】
2015176506.tif 000023
【図１９】
2015176506.tif 000024